(57)【要約】【課題】湯水混合水栓において、湯または水の逆流を防止しつつ、施工性やメンテナンス性を向上させて、製造コストを低減すること。【解決手段】本発明に係る湯水混合水栓は、給水源および給湯源から供給される水を湯水混合水として吐水すると共にカウンターに固定される湯水混合水栓において、前記湯水混合水を生成する湯水混合部と、前記湯水混合部を保持する本体と、を備え、前記本体には、前記給水源から延びる給水管と前記給湯源から延びる給湯管とが接続されると共に前記湯水混合部が載置され、前記カウンターの上面よりも上方であって、前記湯水混合部よりも下流の流路には逆止弁が配置されている。【選択図】図３
2018048516.tif 000002
【特許請求の範囲】
【請求項１】
給水源および給湯源から供給される水を湯水混合水として吐水すると共にカウンターに固定される湯水混合水栓において、
前記湯水混合水を生成する湯水混合部と、
前記湯水混合部を保持する本体と、を備え、
前記本体には、前記給水源から延びる給水管と前記給湯源から延びる給湯管とが接続されると共に前記湯水混合部が載置され、
前記カウンターの上面よりも上方であって、前記湯水混合部よりも下流の流路には逆止弁が配置されている
湯水混合水栓。
【請求項２】
前記湯水混合部と前記本体の間の一部は水密に形成され、
前記湯水混合部と前記本体の間と、前記湯水混合部の下流であって前記本体に形成される二次側流路と、は通水可能に形成されている
請求項１に記載の湯水混合水栓。
【請求項３】
前記湯水混合部の流路出口と、前記本体の前記二次側流路の流路入口との間には、シール部材が設けられ、
前記流路出口の流路断面は、前記シール部材のシール断面から少なくとも一部がはみ出るように形成されている
請求項２に記載の湯水混合水栓。
【請求項４】
前記本体には、凹部が形成され、
前記凹部には、前記逆止弁が配置されている
請求項１乃至請求項３に記載の湯水混合水栓。
【発明の詳細な説明】
【技術分野】
【０００１】
本発明は、湯水混合水栓に関する。
【背景技術】
【０００２】
従来から、カウンターの天板に設けられる給水栓本体を有し、給水栓本体の上部に取り付けられたレバー（操作部）により、湯水の混合量及び吐水量を調節して吐水口から湯水を吐出する湯水混合水栓が知られている（例えば特許文献１参照）。
特許文献１に記載の湯水混合水栓の給水栓本体は、カウンターの天板に穿設された取付孔に給水栓本体の下端部分が挿入されている。そして、カウンターの天板の下側から給水栓本体の下端部分にナットを螺着させることで、カウンターの天板を挟持し、カウンターに給水栓本体が固定されている。
【０００３】
また、特許文献１に記載の湯水混合水栓においては、給水栓本体の下端部から、給水源または給湯源に接続される給水管及び給湯管が延設されている。カウンターの天板よりも下方に位置する給水管及び給湯管の端部には、配管端末具がそれぞれ設けられており、配管端末具内には、水や湯の逆流を防止する逆止弁が設けられている。このような従来の湯水混合水栓においては、給水管及び給湯管の端部における配管端末具内に逆止弁が設けられているため、逆止弁を収容する十分なスペースを確保することができる。
【先行技術文献】
【特許文献】
【０００４】
【特許文献１】特開２０００−２９１０８３号公報
【発明の概要】
【発明が解決しようとする課題】
【０００５】
しかしながら、上述した従来の湯水混合水栓においては、カウンターの天板よりも下方に位置する給水管及び給湯管の端部の配管端末具内にそれぞれ逆止弁が設けられているので、逆止弁の交換やメンテナンスを行う際は、カウンターの下で作業を行わなければならず、また、それぞれの逆止弁に対して交換やメンテナンスを行わなければならない。そのため、逆止弁の交換やメンテナンスを行う作業者の負担が増加してしまうといった懸念がある。さらに、給水管及び給湯管の端部それぞれに逆止弁が設けられているため、部品点数が多くなり、製造コストが増加してしまうといった懸念もある。
【０００６】
本発明は、上述した課題を解決するためになされたものであり、湯または水の逆流を防止しつつ、施工性やメンテナンス性を向上させて、製造コストを低減することのできる湯水混合水栓を提供することを目的とする。
【課題を解決するための手段】
【０００７】
上記目的を達成するために、本発明の一態様に係る湯水混合水栓によれば、給水源および給湯源から供給される水を湯水混合水として吐水すると共にカウンターに固定される湯水混合水栓において、湯水混合水を生成する湯水混合部と、湯水混合部を保持する本体と、を備え、本体には、給水源から延びる給水管と給湯源から延びる給湯管とが接続されると共に湯水混合部が載置され、カウンターの上面よりも上方であって、湯水混合部よりも下流の流路には逆止弁が配置されている。
【０００８】
この構成によれば、カウンターの上面よりも上方であって湯水混合部よりも下流の流路に逆止弁が配置されているので、湯水混合部への逆流を防止しつつ、給水管及び給湯管に逆止弁を設ける場合に比べて、部品点数を削減することができる。また、カウンターの上面よりも上方に逆止弁が配置されているので、逆止弁の交換やメンテナンスを行う際に、カウンターの下で作業することなく、カウンターの上面側から作業を行うことができる。そのため、湯水混合水栓において、湯または水の逆流を防止しつつ、施工性やメンテナンス性を向上させて、製造コストを低減することができる。
【０００９】
また、本発明の一態様に係る湯水混合水栓において、好ましくは、湯水混合部と本体の間の一部は水密に形成され、湯水混合部と本体の間と、湯水混合部の下流であって本体に形成される二次側流路と、は通水可能に形成されている。
【００１０】
この構成によれば、湯水混合部と本体の間と、二次側流路と、が通水可能に形成されているので、例えば湯水混合部に破損が生じて湯水混合部と本体との間に漏水が発生してしまった場合、湯水混合部と本体との間に漏水した水を、二次側流路へ通水させることができる。二次側流路へ通水された水は、吐水部へ流れて吐水されるため、水栓本体内で漏水が発生していることを早期に発見することができる。
【００１１】
また、本発明の一態様に係る湯水混合水栓において、好ましくは、湯水混合部の流路出口と、本体の二次側流路の流路入口との間には、シール部材が設けられ、流路出口の流路断面は、シール部材のシール断面から少なくとも一部がはみ出るように形成されている。
【００１２】
この構成によれば、流路出口の流路断面は、シール部材のシール断面から少なくとも一部がはみ出るように形成されている。そのため、より簡便な構成で、湯水混合部と本体の間と、二次側流路と、を通水可能に形成することができる。これにより、湯水混合水栓において、製造コストをより低減することができる。
【００１３】
また、本発明の一態様に係る湯水混合水栓において、好ましくは、本体には、凹部が形成され、凹部には、逆止弁が配置されている。
【００１４】
この構成によれば、本体に形成された凹部に逆止弁が配置されているため、より簡便な構造で逆止弁を設けることができる。これにより、湯水混合水栓の製造コストをより低減することができる。また、湯水混合部を取り外して逆止弁を交換またはメンテナンスを行う際に、より簡単に逆止弁を取り外すことができる。そのため、湯水混合水栓において、施工性やメンテナンス性をより向上させることができる。
【発明の効果】
【００１５】
本発明によれば、湯水混合水栓において、湯または水の逆流を防止しつつ、施工性やメンテナンス性を向上させて、製造コストを低減することができる。
【図面の簡単な説明】
【００１６】
【図１】本発明の一実施形態に係る湯水混合水栓の斜視図である。
【図２】本発明の一実施形態に係る水栓本体の分解斜視図である。
【図３】本発明の一実施形態に係る水栓本体の断面図である。
【図４】本発明の一実施形態に係る底部と逆止弁ユニットの取付構造を表した説明図である。
【図５】図３の部分拡大図である。
【図６】図５のＶＩ−ＶＩ線に沿って見た水栓本体の概略断面図である。
【発明を実施するための形態】
【００１７】
以下、本発明の実施の形態について添付図面を参照しながら説明する。なお、各図面中、同様の構成要素には同一の符号を付して詳細な説明は適宜省略する。
【００１８】
まず、図１〜図４を参照して、本発明の一実施形態に係る湯水混合水栓について説明する。なお、以下においては、図中に示す方向を用いて説明する。
【００１９】
図１は、本発明の一実施形態に係る湯水混合水栓の斜視図である。図２は、本発明の一実施形態に係る水栓本体の分解斜視図である。図３は、本発明の一実施形態に係る水栓本体の断面図である。図４は、本発明の一実施形態に係る底部と逆止弁ユニットの取付構造を表した説明図である。
【００２０】
図１に示すように、本発明の一実施形態に係る湯水混合水栓は、給水源及び給湯源から供給される水を湯水混合水として吐水すると共に、カウンターＣに固定される。この湯水混合水栓Ａは、カウンターＣに取り付けられる水栓本体２と、水栓本体２から離隔した位置にてカウンターＣに取り付けられる吐水部４と、を備えている。
【００２１】
水栓本体２には、給水源から延びる給水管６と、給湯源から延びる給湯菅８とが接続されており、水栓本体２の内部にて、給水管６及び給湯菅８から供給される水を混合する。水栓本体２の内部にて混合された水（湯水混合水）は、水栓本体２と吐水部４とをつなぐ接続管１０を介して、吐水部４へ供給され、吐水部から吐水される。これらの給水管６及び給湯菅８、接続管１０は、カウンターＣ下に隠蔽されている。
なお、水栓本体２は、給水管６及び給湯菅８から供給される水を混合せずに、給水管６から供給される水、または、給湯管８から供給される水のみを、吐水部４へ供給することもできるように構成されている。
【００２２】
図２及び図３に示すように、水栓本体２は、湯水混合水を生成する湯水混合部２０と、湯水混合部２０を保持するハウジング３０と、給水管６及び給湯菅８が接続される底部４０と、カウンターＣとの間で固定構造を形成する固定台座５０と、を有している。また、水栓本体２は、水栓本体２の内部に収容される逆止弁ユニット８０を有している。この水栓本体２は、この固定台座５０の上方に底部４０が載置され、底部４０の上方に湯水混合部２０とハウジング３０が載置されている。
なお、本実施形態においてハウジング３０と底部４０とが、本体としての機能を有している。
【００２３】
湯水混合部２０は、全体として円柱形状を有しており、水栓本体２の内部に収容されている。この湯水混合部２０は、カートリッジ式であり、流路が形成された円盤状の複数のセラミックディスクを有している。この複数のセラミックディスクを回転・移動させることによって、給水管６及び給湯菅８から供給される水を混合したり、湯水混合水栓Ａに供給された湯水の吐止水を行ったりする。
【００２４】
また、湯水混合部２０の上部には、操作量を伝達する伝達部２２を介して、操作部２４が設けられている。この操作部２４を操作すると、その操作量に応じて湯水混合部２０のセラミックディスクが回転・移動し、給水源または給湯源から湯水混合水栓Ａに供給された湯水の吐止水及び流量・温調操作することができる。
【００２５】
また、湯水混合部２０の内部には、後述する底部４０の水用一次側流路４４及び湯用一次側流路４６を介して、給水源から供給される水が通る流路及び給湯源から供給される水が通る流路が形成されている（図示せず）。また、これらの流路の途中には、湯水の混合や、湯水の吐止水等を行うバルブ機構が設けられており、このバルブ機構よりも下流には、後述する底部４０の二次側流路４８と接続される湯水混合流路２６が形成されている。つまり、湯水混合部２０により生成された湯水混合水は、湯水混合流路２６を通って底部４０の二次側流路４８へ供給される。
【００２６】
ハウジング３０は、上下方向に延びる円筒状の部材であり、ハウジング３０の内部に湯水混合部２０が収容されている。また、このハウジング３０は、底部４０の上方に載置されており、底部４０の上端の一部を内部に収容している。また、このハウジング３０と固定台座５０は、樹脂材料によって形成されている。そのため、製造コストを抑えることができ、生産性をより一層向上させることができる。
【００２７】
底部４０は、金属製の部材であって略円柱状に形成されている。底部４０の外周面中部には、外周方向に突出して突条を形成する鍔４２が形成されている。この鍔４２の上面にはハウジング３０が載置されており、鍔４２の下面には固定台座５０の上端面が当接している。また、底部４０において、鍔４２よりも上側の部分がハウジング３０内に収容されており、鍔４２よりも下側の部分が、固定台座５０内に収容されている。
【００２８】
底部４０の下面には、給水管６及び給湯管８の下流端部、接続管１０の上流端部が接続されており、この接続部分から鉛直上方に向かって延びる流路がそれぞれ形成されている。一方、底部４０の上面には、底部４０の流路と湯水混合部２０の流路とを連通する開口がそれぞれ設けられている。
【００２９】
具体的には、底部４０には、給水管６から供給される水が通る水用一次側流路４４、給湯管８から供給される水が通る湯用一次側流路４６、湯水混合部２０から供給される湯水混合水が通る二次側流路４８の３つの流路が形成されている。この水用一次側流路４４及び湯用一次側流路４６の流路出口４４ａ及び４６ａと、二次側流路４８の流路入口４８ａとが、底部４０の上面に形成されており、これらの流路出口４４ａ及び４６ａと、流路入口４８ａが、湯水混合部２０の流路と連通している。
【００３０】
給水源または給湯源から、給水管６または給湯管８へ供給された水は、底部４０の水用一次側流路４４または湯用一次側流路４６を通り、湯水混合部２０へ供給される。湯水混合部２０において、水用一次側流路４４から供給された水と、湯用一次側流路４６から供給された水とが混合される。そして、湯水混合部２０によって生成された湯水混合水は、湯水混合部２０の湯水混合流路２６から底部４０の二次側流路４８へ流れる。二次側流路４８へ供給された湯水混合水は、接続管１０に流れて、吐水部４へ供給される。
なお、水栓本体２において、水用一次側流路４４または湯用一次側流路４６から湯水混合部２０へ供給された水を湯水混合部２０にて混合せずに、水用一次側流路４４または湯用一次側流路４６から供給された水のどちらか一方のみを、湯水混合部２０の湯水混合流路２６から二次側流路４８へ供給可能なように構成されている。
【００３１】
固定台座５０は、ハウジング３０と別体に形成される円筒状の部材であり、カウンターＣに設けられた取付孔Ｃ１に挿入されてカウンターＣを貫通している。固定台座５０の内側上部には、固定台座５０の内周面から固定台座５０の中心軸に向かって突出するような段部５２が形成されており、固定台座５０の上端面から段部５２にかけて形成される凹み部分に、底部５０の一部が収容されている。また、給水管６及び給湯管８、接続管１０が、固定台座５０を上下方向に貫通している。
【００３２】
固定台座５０の外周面中部には、外周方向に突出して突条を形成する鍔５４が形成されている。この鍔５４は、固定台座５０の段部５２よりも下方に形成されている。固定台座５０の鍔５４よりも下方部分は、カウンターＣの取付孔Ｃ１に挿入され、鍔５４の下面とカウンターＣの上面とが当接している。また、固定台座５０の下端部分はカウンターＣの下面よりも下方に位置しており、固定台座５０の鍔５４よりも下方部分であってカウンターＣの下面よりも下方の位置には、円筒状の締結部材６０が設けられている。
【００３３】
ここで、固定台座５０の鍔５４よりも下方部分における外周面には、螺旋状の溝が設けられている。一方、締結部材６０の内周面には、固定台座５０の鍔５４よりも下方部分に形成された螺旋状の溝と係合する、螺旋状の溝が形成されている。つまり、締結部材６０を固定台座５０の下方部分に締結することによって、固定台座５０の鍔５４と締結部材６０とによってカウンターＣが挟み込まれて、固定台座５０がカウンターＣに固定される。このように、固定部材５０は、カウンターＣとの間で固定構造を形成している。
【００３４】
また、水栓本体２は、ハウジング３０、底部４０及び固定台座５０の外周に配置され外観を形成する外観カバー７０を有している。外観カバー８０は、円筒状の部材であり、外周面に金属メッキが施されている。
【００３５】
逆止弁ユニット８０は、カウンターの上面よりも上方であって、湯水混合部２０の吐止水の機能を有する部分よりも下流に設けられている。この逆止弁ユニット８０には、その内部に逆止弁８２が収容されており、下流側から上流側へ水または湯が逆流することを防止する機能を有している。
【００３６】
具体的には、図４に示すように、底部４０の二次側流路４８には二次側流路４８の流路入口４８ａから下方に向かって凹む凹部４９が形成されており、逆止弁ユニット８０は、底部４０の二次側流路４８に形成されている凹部４９に収容されている。つまり、逆止弁ユニット８０は、一つの流路（二次側流路４８）のみに設けられており、底部４０と湯水混合部２０との間に挟まれるように設けられている。
【００３７】
このように、本発明の一実施形態に係る湯水混合水栓Ａによれば、カウンターＣの上面よりも上方であって湯水混合部２０よりも下流の流路である二次側流路４８に逆止弁が配置されているので、湯水混合部２０への逆流を防止しつつ、給水管６及び給湯管８に逆止弁を設ける場合に比べて、部品点数を削減することができる。また、カウンターＣの上面よりも上方に逆止弁が配置されているので、逆止弁の交換やメンテナンスを行う際に、カウンターＣの下で作業することなく、カウンターＣの上面側から作業を行うことができる。そのため、湯水混合水栓Ａにおいて、湯または水の逆流を防止しつつ、施工性やメンテナンス性を向上させて、製造コストを低減することができる。
【００３８】
ここで、仮に、逆止弁ユニット８０が底部４０の水用一次側流路４４及び湯用一次側流路４６にそれぞれ設けられ、施工時に一方の逆止弁ユニット８０が上流側と下流側が間違って組みつけられてしまった場合、間違えて組みつけられた側の流路からは水が供給されないが、他方の流路からは水が供給される。そのため、施工者や使用者が不具合に気付かずにそのまま使用してしまう、あるいは、不具合の発見が遅れてしまうといった懸念がある。
本発明の一実施形態に係る湯水混合水栓Ａにおいては、湯水混合部２０のバルブ機構よりも下流（二次側の流路）に一つの逆止弁ユニット８０が設けられている。そのため、逆止弁ユニット８０の上流側と下流側が間違って組みつけられてしまった場合は、逆止弁ユニット８０よりも下流には水が供給されなくなる、つまり、吐水部４から吐水されなくなる。したがって、湯水混合水栓Ａの不具合を早期に発見することができる。
【００３９】
また、仮に、逆止弁ユニット８０が底部４０の水用一次側流路４４及び湯用一次側流路にそれぞれ設けられ、湯用一次側流路４６のみが通水状態にある場合、つまり、湯のみが吐水部４から吐水されている場合、水用一次側流路４４に設けられた逆止弁ユニット８０の逆止弁は、閉じた状態となっている。この状態で、湯用一次側流路４６のみが通水されている状態が続くと、湯用一次側流路４６を通る湯によって、水用一次側流路４４内の水の温度が上昇する。水の温度が上昇すると、それにともなって水用一次側流路４４内（湯水混合部２０と逆止弁との間の流路内）の水の体積が膨張し、逆止弁ユニット８０の逆止弁が閉じる方向へ押しつけられる。さらに、逆止弁ユニット８０内の逆止弁にも湯の熱が伝わってしまう。その結果、水用一次側流路４４に設けられた逆止弁ユニット８０の逆止弁が閉じた状態で固着してしまう懸念がある。
本発明の一実施形態に係る湯水混合水栓Ａにおいては、湯水混合部２０のバルブ機構よりも下流（二次側の流路）に一つの逆止弁ユニット８０が設けられている。そのため、湯用一次側流路４６のみが通水状態にある場合、つまり、湯のみが吐水部４から吐水されている場合であっても、逆止弁ユニット８０の逆止弁８２は常に開いた状態となっているため、湯の熱によって、逆止弁ユニット８０の逆止弁８２が閉じた状態で固着してしまうことが抑制される。
【００４０】
また、本体である底部４０に形成された凹部４９に逆止弁が配置されているため、より簡便な構造で逆止弁を設けることができる。これにより、湯水混合水栓Ａの製造コストをより低減することができる。また、湯水混合部２０を取り外して逆止弁を交換またはメンテナンスを行う際に、より簡単に逆止弁を取り外すことができる。そのため、湯水混合水栓Ａにおいて、施工性やメンテナンス性をより向上させることができる。
【００４１】
つぎに、図５及び図６を参照して、水栓本体の湯水混合部、ハウジング、底部間の構造について詳述する。
【００４２】
図５は、図３の部分拡大図である。図６は、図５のＶＩ−ＶＩ線に沿って見た水栓本体の概略断面図である。
【００４３】
図５に示すように、ハウジング３０の上部内周面と、湯水混合部２０の上部外周面との間には、円環状のシール部材３２が設けられている。つまり、このシール部材３２によって、湯水混合部２０と本体であるハウジング３０との間の一部が水密に形成されている。また、本体である底部４０と湯水混合部２０との間には、流路出口４４ａと、流路出口４６ａと、を区画するシール部材９０が設けられており、湯水混合部２０と底部４０の間と、底部４０の二次側流路４８と、は通水可能に形成されている。
なお、ハウジング３０と底部４０との間においても、円環状のシール部材３４が設けられている。
【００４４】
図６に示すように、シール部材９０は、底部４０の上面に配置されており、シール部材９０によって、湯水混合部２０の流路、底部４０の水用一次側流路４４、湯用一次側流路４６、の三つの流路の間が水密に形成されている。つまり、シール部材９０によって、三つの流路をそれぞれ流れる水が混合しないようになっている。加えて、上面視において、湯水混合部２０の湯水混合流路２６の流路出口２６ａの流路断面は、二次側流路４８の流路入口４８ａの周囲を囲んでいるシール部材９０のシール断面から少なくとも一部がはみ出るように形成されている。このように、シール部材９０のシール断面から、湯水混合流路２６の流路出口２６ａの流路断面の一部がはみ出るように形成されていることで、湯水混合部２０と底部４０の間と、底部４０の二次側流路４８と、が通水可能に形成されている。
【００４５】
このように、本発明の一実施形態に係る湯水混合水栓Ａにおいては、湯水混合部２０と本体である底部４０の間と、底部４０に形成された二次側流路４８と、が通水可能に形成されている。そのため、例えば湯水混合部２０に破損が生じて湯水混合部２０と本体（ハウジング３０または底部４０）との間に漏水が発生してしまった場合、湯水混合部２０と本体（ハウジング３０または底部４０）との間に漏水した水を、二次側流路４８へ通水させることができる。二次側流路４８へ通水された水は、吐水部４へ流れて吐水されるため、水栓本体２内で漏水が発生していることを早期に発見することができる。
【００４６】
また、湯水混合流路２６の流路出口２６ａは、二次側流路４８の流路入口４８ａの周囲を囲んでいるシール部材９０のシール断面から少なくとも一部がはみ出るように形成されている。そのため、より簡便な構成で、湯水混合部２０と本体（ハウジング３０または底部４０）の間と、二次側流路４８と、を通水可能にすることができる。これにより、湯水混合水栓Ａにおいて、製造コストをより低減することができる。
【００４７】
以上、本発明の実施形態について説明したが、本発明は上述した実施形態に限定されるものではない。
【００４８】
例えば、本実施形態において、ハウジング３０と底部４０、固定台座５０のそれぞれが別体である構成を説明したが、これら３つの部材が一体に形成されていてもよいし、３つの部材のうちいずれか２つの部材が一体に形成されていてもよい。
【００４９】
前述した各実施の形態が備える各要素は、技術的に可能な限りにおいて組み合わせることができ、これらを組み合わせたものも本発明の特徴を含む限り本発明の範囲に包含される。
【符号の説明】
【００５０】
２    水栓本体
４    吐水部
６    給水管
８    給湯菅
１０    接続管
２０    湯水混合部
２２    伝達部
２４    操作部
２６    湯水混合流路
２６ａ  流路出口
３０    ハウジング
３２、３４    シール部材
４０    底部
４２    鍔
４４    水用一次側流路
４４ａ  流路出口
４６    湯用一次側流路
４６ａ  流路出口
４８    二次側流路
４８ａ  流路入口
４９    凹部
５０    固定台座
５２    段部
５４    鍔
６０    締結部材
７０    外観カバー
８０    逆止弁ユニット
８２    逆止弁
９０    シール部材
Ａ    湯水混合水栓
Ｃ    カウンター
【図１】
2018048516.tif 000003
【図２】
2018048516.tif 000004
【図３】
2018048516.tif 000005
【図４】
2018048516.tif 000006
【図５】
2018048516.tif 000007
【図６】
2018048516.tif 000008